(57)【要約】【課題】  スロットの露出を防止して伝送損失の増加など光通信に影響を与える虞がない、良好な光ファイバケーブル用スロットおよび光ファイバケーブルを提供する。【解決手段】  光ファイバケーブル用スロット１０は、テープ心線１４を収容する複数本のスロット溝２１が外周に設けられている。隣合うスロット溝２１，２１間の各スロットリブ２２の外周面には、スロット溝２１に沿って突起２３が突設される。この光ファイバケーブル用スロット１０の外側に上巻きテープ１２を巻回し、さらにその外側にシース１３を押出し成型により一体的に設けることにより、光ファイバケーブル３０を構成する。【選択図】        図１
2005181654.tif 000002
【特許請求の範囲】
【請求項１】
外周に光ファイバを収容する複数本のスロット溝が設けられている光ファイバケーブル用スロットであって、
隣合う前記スロット溝間の少なくとも一つのスロットリブの外周面に、凹凸部を設けたことを特徴とする光ファイバケーブル用スロット。
【請求項２】
前記凸部の高さが、前記スロット溝に光ファイバを収容した後に前記スロットに巻回する上巻きテープの厚さよりも高いことを特徴とする請求項１に記載した光ファイバケーブル用スロット。
【請求項３】
前記凹凸部が、前記スロットリブの外周面に形成した突起又は溝から成ることを特徴とする請求項１又は請求項２に記載した光ファイバケーブル用スロット。
【請求項４】
前記突起又は前記溝が、着色されていることを特徴とする請求項３に記載した光ファイバケーブル用スロット。
【請求項５】
前記凹凸部が、前記スロットリブの外周面に設けた粗面部から成ることを特徴とする請求項１又は請求項２に記載した光ファイバケーブル用スロット。
【請求項６】
請求項１から請求項５のいずれかに記載した光ファイバケーブル用スロットのスロット溝に、光ファイバを収容して成ることを特徴とする光ファイバケーブル。
【発明の詳細な説明】
【技術分野】
【０００１】
この発明は、光ファイバケーブル用スロット及び光ファイバケーブルに関するものである。
【背景技術】
【０００２】
従来より、光ファイバケーブル用スロットとしては種々のものが提案されている（例えば、特許文献１参照。）。
例えば、図７に示すように、光ファイバケーブル用スロット１００は、中心にテンションメンバ１０１を有し、このテンションメンバ１０１の周囲に樹脂製のスロットロッド１０２が一体的に設けられている。
【０００３】
スロットロッド１０２の外周面には、例えば複数本のスロット溝１０３が螺旋状に撚られて設けられており、各スロット溝１０３にはテープ心線１０４を積層した積層体１０５が収容されている。
更に、スロットロッド１０２の外周面には、押え巻きテープ（上巻きテープ）１０６が巻回されており、該押え巻きテープ１０６の外側には、シース１０７が設けられて光ファイバケーブル１１０を構成している。
【０００４】
【特許文献１】特開２００１−３１１８６０号公報
【発明の開示】
【発明が解決しようとする課題】
【０００５】
ところで、従来の光ファイバケーブル１１０におけるシース１０７は、ポリエチレン等の熱可塑性樹脂を押出し成型することにより形成されており、押出し成型時の加工歪みが残留している場合がある。このような残留歪みは、時間の径過とともに解放されて収縮しようとする。一方、スロットロッド１０２も樹脂製であるが、テンションメンバ１０１により収縮が抑制されているので収縮が生じず、シース１０７のみが収縮することになる。
【０００６】
この時、スロットロッド１０２とシース１０７、さらにその間に巻かれた押え巻きテープ１０６とが一体化されていない場合には、それぞれの間でずれが生じる。シース１０７の収縮力は加工法や材料、シース１０７の断面積等によって異なるが、ずれが生じる場合はその間の摩擦力がシース１０７の収縮力に対して小さい場合である。
【０００７】
一般に、スロットロッド１０２と押え巻きテープ１０６との間の摩擦力は、スロット溝１０３の本数が多い場合にはスロット溝１０３の段差により摩擦力が増す。また、スロットロッド１０２の外径が大きい場合には、接触面積が大きくなるため摩擦力が大きくなると考えられる。
しかし、押え巻きテープ１０６とシース１０７との間の摩擦力は、シース１０７の加工条件によりある程度向上させることができるものの限界があり、最終的にはスロットロッド１０２の外周面における表面粗さの影響が大きいと考えられる。
【０００８】
このため、スロットロッド１０２の外周面における表面粗さが不足すると、シース１０７の長手方向の収縮量とスロットロッド１０２の収縮量とに差が生じ、ケーブル端において押え巻きテープ１０６やスロットロッド１０２を露出させる可能性がある。これにより、スロット溝１０３に収容されているテープ心線１０４におけるテープ樹脂の劣化や水に濡れることによる光ファイバケーブル１１０の伝送損失の増加など光通信に重大な影響を与える虞がある。
【０００９】
従って、本発明の目的は、スロットの露出を防止して伝送損失の増加など光通信に影響を与える虞がない、良好な光ファイバケーブル用スロットおよび光ファイバケーブルを提供することにある。
【課題を解決するための手段】
【００１０】
前述した目的を達成するために、本発明にかかる光ファイバケーブル用スロットは、請求項１に記載したように、外周に光ファイバを収容する複数本のスロット溝が設けられている光ファイバケーブル用スロットであって、隣合う前記スロット溝間の少なくとも一つのスロットリブの外周面に、凹凸部を設けたことを特徴としている。
【００１１】
このように構成された光ファイバケーブル用スロットによれば、スロットリブの外周面に設けた凹凸部が、スロットの外周面に巻回される上巻きテープ及びシースとの間の摩擦力を高め、互いの相対移動を阻止することができる。
即ち、シースの長手方向の収縮量とスロットの収縮量とに差が生じないように作用して、ケーブル端において上巻きテープやスロットが露出するのを防止することができる。
【００１２】
また、本発明に係る光ファイバケーブル用スロットは、請求項２に記載したように、請求項１に記載した光ファイバケーブル用スロットにおいて、前記凸部の高さが、前記スロット溝に光ファイバを収容した後に前記スロットに巻回する上巻きテープの厚さよりも高いことを特徴としている。
【００１３】
このように構成された光ファイバケーブル用スロットによれば、前記スロットに巻回された上巻きテープを介して前記凸部が外周面側に十分突出することができ、上巻きテープとシースとの間の相対移動を確実に阻止することができる。
【００１４】
また、本発明に係る光ファイバケーブル用スロットは、請求項３又は５に記載したように、請求項１又は２に記載した光ファイバケーブル用スロットにおいて、前記凹凸部が、前記スロットリブの外周面に形成した突起又は溝、或いは粗面部から成ることを特徴としている。
尚、粗面部とは、通常のスロットリブの外周面の表面粗さ（例えば、ＪＩＳ  Ｂ０６０１による最大高さ（Ｒy）が１０μｍ以下程度）に比して、表面粗さを粗くした部分である。
【００１５】
このように構成された光ファイバケーブル用スロットによれば、前記凹凸部が、前記スロット溝に沿った順方向や前記スロット溝に交差する交差方向、或いはランダムな方向の何れの方向にも形成することができ、連続或いは不連続にも形成できる。
そこで、前記凹凸部は、どの様な方法によっても前記スロットリブの外周面に形成することができ、前記スロットの押し出し成形と同時、或いは後加工でも良く、成形が容易である。例えば、後加工の場合には、スロット成形用の製造治具（ダイス等）は、従来のものを使用することができる。
【００１６】
また、本発明に係る光ファイバケーブル用スロットは、請求項４に記載したように、請求項１又は２に記載した光ファイバケーブル用スロットにおいて、前記突起又は前記溝が、着色されていることを特徴としている。
【００１７】
このように構成された光ファイバケーブル用スロットによれば、着色された前記突起又は前記溝が、スロット溝の位置を特定する為の目印であるトレーサマークとして機能させることができる。
【００１８】
また、本発明に係る光ファイバケーブルは、請求項６に記載したように、請求項１から５のいずれかに記載した光ファイバケーブル用スロットのスロット溝に、光ファイバを収容して成ることを特徴としている。
【００１９】
このように構成された光ファイバケーブルによれば、スロットリブの外周面に凹凸部が設けられているので、スロットとシースとの収縮量の違いによる両者間の長手方向の相対移動を防止することができる。
そこで、スロット溝に収容されている光ファイバの劣化や水に濡れることによる光ファイバケーブルの伝送損失の増加などを防止できる。
【発明の効果】
【００２０】
本発明に係る光ファイバケーブル用スロット及び光ファイバケーブルによれば、スロットリブの外周面に設けた凹凸部が、スロットの外周面に巻回される上巻きテープ及びシースとの間の摩擦力を高め、互いの相対移動を阻止することができる。
そこで、シースの長手方向の収縮量とスロットの収縮量とに差が生じた場合にも、ケーブル端において上巻きテープやスロットが露出するのを防止することができる。
従って、スロットの露出を防止して伝送損失の増加など光通信に影響を与える虞がない、良好な光ファイバケーブル用スロットおよび光ファイバケーブルを提供できる。
【発明を実施するための最良の形態】
【００２１】
以下、添付図面に基づいて本発明の一実施形態に係る光ファイバケーブル用スロット及び光ファイバケーブルを詳細に説明する。
図１は本発明の一実施形態に係る光ファイバケーブルの断面図、図２は図１に示した光ファイバケーブル用スロットの斜視図である。
【００２２】
図１及び図２に示すように、本実施形態の光ファイバケーブル用スロット（以下、単にスロットと云う）１０は、中心にテンションメンバ１１を有し、このテンションメンバ１１の周囲に樹脂製のスロットロッド２０が押出し成型により一体的に設けられている。そして、前記スロット１０の外側には上巻きテープ１２が巻回され、さらにその外側にはシース１３が押出し成型により一体的に設けられており、光ファイバケーブル３０を構成している。
【００２３】
図２に示すように、スロットロッド２０は、複数本（本実施形態では、５本）の平行なスロット溝２１が長手方向に正逆反転を繰り返しながら撚って設けられており（所謂、ＳＺスロット）、これらスロット溝２１の内部には、テープ心線１４を積層した積層体１５がそれぞれ収容されている。テープ心線１４は、複数本（図１においては４本）の光ファイバ１４ａをテープ状に被覆したものである。
【００２４】
そして、隣合うスロット溝２１，２１の間には、スロットリブ２２が形成されており、各スロットリブ２２の外周面には凹凸部である突起２３がスロット溝２１に沿って突設されている。
前記突起２３は、スロット溝２１に沿ってスロットリブ２２の長手方向に延びる断面矩形の突起列である。
尚、このような突起２３は、例えば前記スロット１０を押し出し成形する際のダイスを僅かに改造するだけで、各スロット溝２１と共に同時成形することができる。
【００２５】
即ち、本実施形態に係るスロット１０によれば、スロットリブ２２の外周面に設けた突起２３が、スロット１０の外周面に巻回される上巻きテープ１２及びシース１３との間の摩擦力を高め、互いの相対移動を阻止することができる。
又、前記突起２３の高さは、上巻きテープ１２の厚さ（通常、０．３ｍｍ程度）よりも高く設定されており、前記スロット１０に巻回された上巻きテープ１２を介して前記突起２３が外周面側に十分突出することができるので、上巻きテープ１２とシース１３との間の相対移動を確実に阻止することができる。
【００２６】
そこで、本実施形態の光ファイバケーブル３０は、シース１３の長手方向の収縮量とスロット１０の収縮量とに差が生じず、ケーブル端において上巻きテープ１２やスロット１０が露出するのを防止することができる。勿論、スロットリブ２２の外周面に突設された突起２３は、スロット溝２１に収容されたテープ心線１４に対して悪影響を及ぼすことはない。
従って、スロット溝２１に収容されているテープ心線１４のテープ樹脂の劣化や水に濡れることによる光ファイバケーブル３０の伝送損失の増加などといった重大な影響を確実に防止することができる。
【００２７】
なお、本発明の光ファイバケーブル用スロット及び光ファイバケーブルは、上記実施形態の構成に限定されるものではなく、本発明の趣旨に基づいて種々の形態を採りうることは云うまでもない。
例えば、図３（Ａ）に示すスロット１０Ａでは、本実施形態に係る凹凸部として、スロットリブ２２の外周面に複数（本実施形態では、３本）の突起２５がスロット溝２１に沿って突設されている。この突起２５は、スロット溝２１に沿ってスロットリブ２２の長手方向に延びる断面三角形の突起列である。
【００２８】
又、図３（Ｂ）に示すスロット１０Ｂでは、本実施形態に係る凹凸部として、スロットリブ２２の外周面に複数（本実施形態では、３本）の溝２６がスロット溝２１に沿って凹設されている。この溝２６は、スロット溝２１に沿ってスロットリブ２２の長手方向に延びる断面矩形の溝列である。
【００２９】
又、図３（Ｃ）に示すスロット１０Ｃでは、本実施形態に係る凹凸部として、スロットリブ２２の外周面に小さな凹凸から成る粗面部２７が設けられている。この粗面部２７は、例えばブラスト、網目、ワイヤブラシ等を用いてスロットリブ２２の外周面に粗さ加工を施すことにより形成することができる。
【００３０】
尚、各スロットリブ２２に設けられる突起２５又は溝２６の本数は、任意である。又、これら突起２５又は溝２６は、全てのスロットリブ２２の外周面に設けるようにしても良いし、特定のスロットリブ２２にのみ設けるようにしても良い。
【００３１】
更に、図３（Ａ）に示したような突起２５や図３（Ｂ）に示したような溝２６などの場合は、スロットリブ２２の外周面において種々の方向に設けることができる。
例えば、図４（Ａ）に示すスロット４０Ａのように、長手方向に一方向に撚って設けられたスロット溝２１に沿って、突起２５（又は、溝２６）は、スロットリブ２２の外周面に、長手方向に連続して設けられる。なお、図４（Ａ）においては、突起２５（又は、溝２６）をスロットリブ２２の外周面に１本設けた場合について図示したが、２本以上設けるようにしても良い。
又、図４（Ｂ）に示すスロット４０Ｂのように、突起２５（又は、溝２６）は、前記スロット溝２１に沿って、スロットリブ２２の外周面に、長手方向に不連続に設けられる。
更に、凹凸部として突起２５と溝２６とを組み合わせるようにしても良い。
【００３２】
更に、図５（Ａ）に示すスロット５０Ａのように、スロット溝２１と交差する交差方向に延びてスロットリブ２２を横切るように、該スロットリブ２２の外周面に複数の突起２５（又は、溝２６）を所定間隔で連続して設けることもできる。又、図５（Ｂ）に示すスロット５０Ｂのように、スロットリブ２２の外周面に、スロットリブ２２を横切る複数の突起２５（又は、溝２６）を不連続に設けることもできる。
【００３３】
この場合には、スロット５０Ａ，５０Ｂの長手方向に対して各突起２５（又は、溝２６）が、略直交する方向に形成されるので、スロットリブ２２の外周面に設けられた突起２５（又は、溝２６）は、光ファイバケーブルにおけるスロットロッド２０とシース１３の長手方向の相対移動をより確実に阻止することができる。
【００３４】
また、図３（Ｃ）に示したような粗面部２７の場合は、図６（Ａ）に示すスロット６０Ａのように、スロットリブ２２の外周面に沿って長手方向に連続して全面に設けることができる。又、図６（Ｂ）に示すスロット６０Ｂのように、粗面部２７を設けない個所２８を設けて長手方向に不連続に設けることもできる。
【００３５】
更に、図３（Ａ）に示した突起２５は、前記スロット１０Ａを押し出し成形する際に各スロット溝２１と共に一体成形したが、スロットを押し出し成形した後に、別樹脂から成る突起をスロットリブ２２の外周面に一体的に設けても良い。  この場合、適宜着色した樹脂を用いて所定の突起を形成することにより、これら着色された突起をスロット溝の位置を特定する為の目印であるトレーサマークとして機能させることができる。
又、図３（Ｂ）に示したような溝の場合には、所定の溝内に適宜顔料を流し込んで着色することにより、同様なトレーサマークとして機能させることができる。
【図面の簡単な説明】
【００３６】
【図１】本発明の一実施形態に係る光ファイバケーブルの断面図である。
【図２】図１に示した光ファイバケーブル用スロットの斜視図である。
【図３】スロットリブの外周面に設ける凹凸部の変形例を示す要部断面図であり、（Ａ）は凹凸部として突起を設けた場合、（Ｂ）は凹凸部として溝を設けた場合、（Ｃ）は凹凸部として粗面部を設けた場合である。
【図４】（Ａ）は凹凸部を長手方向に沿って連続して設けた場合を示す正面図であり、（Ｂ）は凹凸部を不連続に設けた場合を示す正面図である。
【図５】（Ａ）はスロット溝と交差する交差方向に延びる複数の突起又は溝を所定間隔で連続して設けた場合を示す正面図であり、（Ｂ）はこれら突起又は溝を不連続に設けた場合を示す正面図である。
【図６】（Ａ）は粗面部を長手方向に連続して設けた場合を示す正面図であり、（Ｂ）は粗面部を不連続に設けた場合を示す正面図である。
【図７】従来より知られている光ファイバケーブルの断面図である。
【符号の説明】
【００３７】
１０  スロット（光ファイバケーブル用スロット）
１２  上巻きテープ
１４  テープ心線（光ファイバ）
２０  スロットロッド
２１  スロット溝
２２  スロットリブ
２３  突起（凹凸部）
３０  光ファイバケーブル
【図１】
2005181654.tif 000003
【図２】
2005181654.tif 000004
【図３】
2005181654.tif 000005
【図４】
2005181654.tif 000006
【図５】
2005181654.tif 000007
【図６】
2005181654.tif 000008
【図７】
2005181654.tif 000009